(57)【要約】【課題】ビデオリーダ、ゲーム機等の電子制御装置５と、それに付属する独立型スクリーン７とから成るビデオセットを有し、このビデオユニットはビデオユニットへの電源用接続手段１１と、電子制御装置とスクリーンとの間のオーディオ／ビデオ接続手段１２を有するビデオ機器。【解決手段】ビデオユニットは電子制御装置を収納する少なくとも１つの手段と、付属のスクリーン７を収納する手段とを有する座席の背面を被う部分に取り付けられる座席保護カバーの形をした支持構造物４を有する。【選択図】  図１
2004231159.tif 000002
【特許請求の範囲】
【請求項１】
ビデオリーダやゲーム機等の電子制御装置（５）と、それに付属する独立型スクリーン（７）とから成るビデオセットを有する、座席に取付けられるビデオ機器であって、このビデオ機器はそれに電源を供給する連結手段（１１）と、電子制御装置（５）とスクリーン（７）との間をオーディオ／ビデオ接続するための連結手段（１２）とをさらに有し、さらに、座席保護カバーの形をした支持構造物（４、２０、２５）を有し、この支持構造物（４、２０、２５）の座席背面を被う部分に電子制御装置（５）の少なくとも１つの収容手段が設けられていることを特徴とするビデオ機器。
【請求項２】
スクリーン（７）を正面が見える状態で、スクリーン（７）を収納する支持構造物（６）を有し、この支持構造物（６）は電子制御装置（５）を収容する支持構造物（４）とは独立している請求項１に記載のビデオ機器。
【請求項３】
ヘッドレストの背面を被う部分に形成された、スクリーン（７）の収納手段を備えたヘッドレスト（２）の保護カバーから成るスクリーン（７）用の支持構造物（６）と、背もたれの背面を被う部分に形成された電子制御装置（５）の収容手段を備えた背もたれ（１）の保護カバーから成る電子制御装置（５）用の支持構造物とを有する請求項２に記載のビデオ機器。
【請求項４】
座席の背面を被う部分に保護カバーの形をした支持構造物（２０）と、スクリーンを正面が見える状態で、スクリーンを収納する第２の手段（２２）とを有する請求項１に記載のビデオ機器。
【請求項５】
支持構造物が座席の背もたれ部分の保護カバーを有し、この保護カバーにスクリーンの収納手段が電子制御装置の収納手段より高い位置に取り付けられている請求項４に記載のビデオ機器。
【請求項６】
支持構造物（２０）が座席のヘッドレスト部分（２）と背もたれ部分（１）とを同時に覆う単一の保護カバーから成り、スクリーン（７）の収納収容部（２２）がヘッドレスト（２）の背面の保護カバー（２０）の一部に形成され、電子制御装置（５）の収納収容部（２１）が背もたれ部分（１）の保護カバー（２０）の部分に形成されている請求項４に記載のビデオ機器。
【請求項７】
電子制御装置（５）とそれと並んだスクリーン（７）の収納収容部（２６）を備えた背もたれカバーおよび／またはヘッドレストカバーの形をした支持構造物（２５）を有し、上記収納収容部（２６）が単一の収納空間を形成している請求項１に記載のビデオ機器。
【請求項８】
着脱自在な固定手段によって保護カバーと連結した少なくとも１つの収容手段を有する、座席保護カバーの形をした支持構造物を有する請求項１〜７のいずれか一項に記載のビデオ機器。
【請求項９】
少なくとも１つの電源ソケット（１０）と、この電源ソケット（１０）から延びたビデオ機器（５、７）への電源用内部給電ケーブル（１１）と、電子制御装置（５）とスクリーン（７）との間のオーディオ／ビデオ接続用内部ケーブルシステム（１２）とをさらに有する請求項１〜８のいずれか一項に記載のビデオ機器。
【請求項１０】
ビデオ機器の各装置を対応する支持構造物に着脱自在に固定できる収納手段をさらに有する請求項１〜９のいずれか一項に記載のビデオ機器。
【請求項１１】
送信機で操作可能な電子制御装置に接続された少なくとも１つの受信装置（１５）がさらに組み込まれている、請求項１〜１０のいずれか一項に記載のビデオ機器。
【請求項１２】
少なくとも１つのオーディオおよび／またはビデオの送信機（１７）が組み込まれた、コードレスヘッドホン等の受信装置（１８）が使用可能な請求項１〜１１のいずれか一項に記載のビデオ機器。
【請求項１３】
ビデオ機器の付属部材、例えば遠隔制御装置、ヘッドホン、その他を固定する手段が備えた支持構造物を有する請求項１〜１２のいずれか一項に記載のビデオ機器。
【請求項１４】
支持構造物が追加の電源接続ソケット（１３）と、少なくとも１つのオーディオ／ビデオ接続ソケット（１４）とを備え、これらのソケット（１３、１４）がスクリーンおよび／または独立した電子制御装置の外部電源用内部ケーブルシステム（１１、１２）に接続されている請求項１〜１３のいずれか一項に記載のビデオ機器。
【請求項１５】
ビデオセットの少なくとも１つの電気装置（５、７）を収容するための、請求項１〜１４のいずれか一項に記載の背もたれ用保護カバー形支持構造物。
【発明の詳細な説明】
【０００１】
【発明の属する技術分野】
本発明は、ＤＶＤ、ＳＶＣＤ、ＶＣＤリーダ、ゲーム機（プレーステーション）、その他の電子制御装置と、液晶ディスプレー、ＣＲＴ、プラズマスクリーン、その他の独立型スクリーンとから成るビデオユニットと一体化された支持構造物を備えた、座席、特に自動車の座席の背面に設置されるビデオ機器セットに関するものである。
【０００２】
【従来の技術】
自動車、列車、飛行機等のヘッドレストまたは座席上部にはその座席の後ろに座った人が映画を見たり、商用情報を見たりするためのビデオスクリーンが取り付けられていることが多い。
座席の背もたれやヘッドレストを構成するクッションは一般に内部の発泡体ブロックと、それを覆う柔軟な材料で作られた保護カバーとからなる。このクッションはスクリーンを精密に収容できる最適構造に作られ、特に、スクリーンと一体固定スタンドとを埋め込むための収容部を有している。
【０００３】
しかし、こうしたクッションは製造が難しい。特に、上記機材をクッション内部で固定する手段を設ける必要があり、また、保護カバーはビデオ機器を見栄え良く（高品質の仕上げで）収納しなければならない。しかも、クッションを全てのビデオ機器が取り付けできるように設計または変更しなければならない。
【０００４】
【発明が解決しようとする課題】
本発明の目的は、座席のクッションに迅速かつ見栄え良く固定できる支持構造物を備えた新規設計のビデオ機器を提供することにある。
本発明のビデオ機器は、これまでの取り付け型ビデオ機器に比べて必要空間が小さくなるという利点もある。
【０００５】
【課題を解決するための手段】
本発明のビデオ機器は、座席の背面を被う部分に、ビデオ機器の電子制御装置の少なくとも１つの収納手段を備えた座席保護カバーの形をした支持構造物を有している。
「収納手段」とは電子制御装置と保護カバーの形をした支持構造物とを連結できる任意の構造物を意味する。例えば、この収納手段は背もたれの外側表面に形成された、電子制御装置を収容するポケットにすることができる。収納手段はさらに、電子制御装置を収納するハウジングを形成する硬質の構造物にすることができ、電子制御装置とそのハウジングとは適当な追加の部材で互いに連結することができる。
【０００６】
本発明の第１の実施例のビデオ機器は、電子制御装置を収容する支持構造物とは独立した、スクリーンをその正面が見えるように収容した支持構造物を備えている。この第１の実施例の変形例のビデオセットは、ヘッドレストの背面を被う部分に形成されたスクリーン収納手段が取り付けられるヘッドレスト用保護カバー形支持構造物と、背もたれの背面を被う部分に形成された電子制御装置の収容手段が取り付けられる背もたれ用保護カバー形支持構造物とを備えている。
【０００７】
本発明の第２の変形例のビデオ機器は、座席の背面を被う部分に、正面が見えるようにスクリーンを収納できる第２の手段を備えた保護カバー形支持構造物を有する。この第２の変形例では、支持構造物が背もたれ用の保護カバーから成り、スクリーン収納手段は電子制御装置収納手段より上方位置にあるのが好ましい。
本発明の第２の変形例の第２の例では、支持構造物が座席のヘッドレスト部分と背もたれ部分とを同時に覆う単一（モノブロック）の保護カバーから成る。スクリーン収納手段をヘッドレストの背面部分を覆う保護カバーの部分に作り、電子制御装置の収容手段を背もたれ部分を覆う保護カバーの部分に作るのが好ましい。
【０００８】
本発明のさらに他の変形例では、支持構造物が電子制御装置およびそれと並んだスクリーンを収容する手段を有する背もたれカバーおよび／またはヘッドレストカバーから成り、この収容する手段は単一の収容空間を形成している。
本発明のさらに他のビデオ機器は、着脱自在な固定手段を介して保護カバーと一体化された少なくとも１つのスクリーン収納手段および／または電子制御装置の収容手段を備えた、カバー形の支持構造物を有している。
本発明のさらに他のビデオ機器は、少なくとも１つの電源ソケットと、電子制御装置とスクリーンとの間のオーディオ／ビデオ接続用内部ケーブルシステムとを備え、ビデオ機器への給電用内部電源ケーブルは電源ソケットから延びている。
【０００９】
本発明のさらに他のビデオ機器は、収納手段内で各電気装置をビデオ機器に着脱自在に固定する手段が備えている。
本発明のさらに他のビデオ機器には電子制御装置に接続された少なくとも１つの受信装置が組み込まれていて、適切な送信装置によって操作できるようになっている。
本発明のさらに他のビデオ機器には少なくとも１つのオーディオおよび／またはビデオの送信機が組み込まれており、コードレスヘッドホン等の受信装置を使用できるようになっている。
本発明のさらに他のビデオ機器は、遠隔制御装置、ヘッドホン等のビデオ機器の付属部材を固定する手段を備えた支持構造物を有しているのが有利である。
【００１０】
本発明のさらに他のビデオ機器は、追加の電源接続ソケットと、少なくとも１つのオーディオ／ビデオ接続ソケットが取り付けられた支持構造物とを有し、これらのソケットはスクリーンおよび／または付属の電子制御装置の外部電源用内部ケーブルシステムに接続されている。
本発明のさらに他の対象は上記の座席保護カバー形支持構造物にある。
以下、添付図面を用いて本発明の実施例を説明するが、下記実施例は本発明の単なる例示であり、本発明が下記実施例に限定されるものではない。
【００１１】
【実施例】
［図１］は本発明のビデオ機器が取り付けられた座席を示している。この座席の背もたれ１にはアンカーロッド３を介して固定された独立型ヘッドレスト２が延びている。この座席は背もたれの保護カバーの形をした支持構造物４と、ヘッドレスト２の保護カバーの形をした支持構造物６とを有している。背もたれの保護カバーの形をした支持構造物４は、電子制御装置５が正面から見える状態で、背もたれの背面を被った部分に電子制御装置５を有し、ヘッドレスト２の保護カバーの形をした支持構造物６は、スクリーン７が正面から見える状態で、ヘッドレスト２の背面を被った部分にスクリーン７を有している。すなわち、電子制御装置５を収容する支持構造物４はスクリーン７を収容する支持構造物から独立している。
【００１２】
上記のビデオ機器は例えばＤＶＤを見るためのＤＶＤリーダと、それに付属したスクリーンとから成るＤＶＤ組立体にすることができる。
上記の支持構造物４、６は背もたれ１およびヘッドレスト２の輪郭形状にできるだ一致した形状に作られ、それぞれ該当する座席部分に被せることができるだけの開口を有している。ヘッドレスト２を被う保護カバー構造物６は弾性体または自己定着型バンド（ｓｅｌｆ−ｇｒｉｐｐｉｎｇ  ｂａｎｄ）等の着脱自在な密封部材を備え、一方、背もたれ１の保護カバー構造物４は、座席のシャーシに取り付けするためのフック、ストラップ、その他の連結部材が組み込まれているのが好ましい。
【００１３】
ビデオ機器の上記の各装置５、７は各支持構造物４、６に任意の適当な手段で取り付けられる。例えば、背もたれ１およびヘッドレスト２の背面保護カバー４、６の一部に、形状および寸法が電子制御装置５およびスクリーン７に一致した開口部または切抜き部を設け、電気装置と保護カバー４、６の内側表面側に設けた対応硬質構造物との間の上記開口部の外周端縁に上記の各装置５、７を挟むことができる。この固定は上記の各電気装置５、７と対応硬質構造物との間に互いに共同する一対の着脱自在な部材を用いて行うことができる。
【００１４】
ビデオ機器を操作するための電気接続は［図１］に破線で図示してある。電子制御装置５およびスクリーン７に電源を供給するケーブルは支持構造物４、６の内面に配線するのが好ましい。このケーブルはヘッドレスト２のアンカーロッド３に巻き付かせて背もたれ１とヘッドレスト２との間を通すことができる。
【００１５】
［図１］には背もたれ１を被う支持構造物４に取り付けられた電源接続ソケット１０が示されている。このソケット１０はビデオ機器の任意の位置、例えば電子制御装置５に配置することができる。この電源接続ソケット１０から適当な接続コードを用いてビデオ機器を自動車の電源またはライターのソケットに接続することができる。電子制御装置５およびスクリーン７への一体型給電ケーブル１１はこの接続ソケット１０から延びている。一方、電子制御装置５とスクリーン７との間はオーディオ／ビデオ接続ケーブル１２で結合されている。
【００１６】
［図１］に破線で示すように、補助電源接続ソケット１３およびオーディオ／ビデオ接続ソケット１４をビデオ機器に組み込んで、これらのソケット１３、１４によって背もたれ１から延びたヘッドレスト２（［図］１）または隣りの座席のヘッドレスト（図示せず）に取り付けたスクリーン７へ外側から給電および操作できるようにすることもできる。
このビデオ機器にはさらに、電子制御装置５に接続された受信機１５を組み込むことができ、この受信機１５によって例えば情報送信型の外部送信装置１６から電子制御装置５を操作できるようにすることもできる。
【００１７】
このビデオ機器にはさらに、ビデオユニットに接続されたオーディオ／ビデオ送信装置１７を組み込むことができる。この送信機１７によってオーディオ／ビデオ受信装置１８、例えばオーディオヘッドホンへコードレスで送信することができる。
これらの全ての付属品（遠隔制御装置およびオーディオヘッドホン）を容易に収納するために、ビデオ機器の収納保護カバーにこれらの固定手段および収納手段を設けることできる。
【００１８】
［図３］に示した本発明の変形例のビデオ機器は、背もたれ１とヘッドレスト２を同時に覆う単一の保護カバーの形をした支持構造物を有している。この単体の保護カバー２０は２つの収容部２１、２２を有し、その一つの収容部２１は電子制御装置５が正面から見える状態で電子制御装置５を収容するように背もたれ１の背面の保護カバー２０の一部に作られ、他方の収容部２２はスクリーン７を収容するためにヘッドレスト２の背面の保護カバー２０の一部に形成されている。ビデオ機器の操作に適した全体のケーブル１１、１２は支持構造物２０の内面に設けるのが好ましい。このビデオ機器にも、その使用および使い勝手を良くするための任意の付属物、例えば送信機および／または受信装置を組み込むことができるということは理解できよう。
【００１９】
［図４］は本発明のビデオ機器の変形例を示し、このビデオ機器は背もたれ１の背面を被う部分にビデオ機器５、７を収容するための中間収容部（ケース）２６を有する背もたれ１の保護カバーの形をした支持構造物２５をさらに有している。［図４］のビデオ機器５、７はモノブロック（一体型）の組立体であり、電子制御装置５とスクリーン７は蝶番で結合されている。
【００２０】
この中間収容部２６は底部２７と側壁２８とで区画され、任意の適当な手段で支持構造物２５と一体化されている。例えば、底部２７を自己定着型バンドまたはジッパー等を用いて支持構造物２５に着脱自在に縫製または接着することができる。この中間収容部２６は柔軟な材料、例えば繊維または合成材料で作られている。側壁２８はその内面に硬質ベルトを当接させて補強することができる。
【００２１】
ビデオ機器５、７は中間収容部２６に任意の適当な手段で連結される。例えば、中間収容部２６の底部２７に自己定着型バンドを取り付け、電子制御装置５の背面に反対側の自己定着型バンドを取り付け、中間収容部２６にゴムバンド２９を設けてスクリーン７の上端部を締め付けることができる。こうすることによって、ビデオ機器５、７を中間収容部２６に迅速に取付け、取外すことができる。
【００２２】
さらに、中間収容部２６にフラップ３０を取り付けて正面を閉じることもできる。このフラップ３０に収容部２６を着脱自在に閉じることができるシステム、例えばジッパーを取り付けることもできる。
背もたれ、ヘッドレストまたは単体保護カバー形の支持構造物を有する上記の各種ビデオ機器は従来の方法で座席に取り付けることができる。
本発明のビデオ機器は使用時の必要空間を最小にすることができ、広範囲の自動車の座席に合せることができる。
【図面の簡単な説明】
【図１】電子制御装置を収容する座席保護カバーとスクリーンとを収容するヘッドレスト保護カバーから成る、本発明のビデオ機器が取り付けられた自動車の座席背面の概念図。
【図２】［図１］に記載のビデオ機器が取付けられた座席の２−２線に沿った断面図。
【図３】保護カバーの形をした支持構造物がモノブーックのビデオ機器収容部である、本発明のビデオ機器を取り付けた座席背面の概念図。
【図４】座席の保護カバーの形をした支持構造物が単一のビデオ機器収納収容部を有する、本発明のビデオ機器を取り付けた座席背面の概念図。
【符号の説明】
１  背もたれ
２  ヘッドレスト
４、６  支持構造物
５  電子制御装置
７  スクリーン
１０  電源接続ソケット
【図１】
2004231159.tif 000003
【図２】
2004231159.tif 000004
【図３】
2004231159.tif 000005
【図４】
2004231159.tif 000006
【外国語明細書】
2004231159.tif 000007
2004231159.tif 000008
2004231159.tif 000009
2004231159.tif 000010
2004231159.tif 000011
2004231159.tif 000012
2004231159.tif 000013
2004231159.tif 000014
2004231159.tif 000015
2004231159.tif 000016
2004231159.tif 000017
2004231159.tif 000018
2004231159.tif 000019
2004231159.tif 000020
2004231159.tif 000021
2004231159.tif 000022
2004231159.tif 000023
2004231159.tif 000024